(57)【要約】  修飾ヒアルロン酸および／またはその塩は、下記一般式（１）で表されるグリセリン骨格含有基を含む。−Ｏ−ＣＨ２−ＣＨＯＨ−ＣＨ２−ＯＲ１・・・（１）（式中、Ｒ１は直鎖状または分岐状のアルキル基またはアルケニル基を表す。）【特許請求の範囲】
【請求項１】
下記一般式（１）で表されるグリセリン骨格含有基を含む、修飾ヒアルロン酸および／またはその塩。
−Ｏ−ＣＨ２−ＣＨＯＨ−ＣＨ２−ＯＲ１      ・・・（１）
（式中、Ｒ１は直鎖状または分岐状のアルキル基またはアルケニル基を表す。）
【請求項２】
前記一般式（１）において、Ｒ１が炭素原子数６〜２０の直鎖状または分岐状のアルキル基またはアルケニル基である、請求項１に記載の修飾ヒアルロン酸および／またはその塩。
【請求項３】
前記グリセリン骨格含有基がヒアルロン酸骨格を構成する炭素原子の少なくとも１つに結合している、請求項１または２に記載の修飾ヒアルロン酸および／またはその塩。
【請求項４】
ヒアルロン酸および／またはその塩を下記一般式（２）で表される化合物と反応させることにより得られる、請求項１〜３のいずれか１項に記載の修飾ヒアルロン酸および／またはその塩。
【化１】
2011102462.tif 000011
・・・（２）
（式中、Ｒ１は直鎖状または分岐状のアルキル基またはアルケニル基を表す。）
【請求項５】
前記一般式（２）において、Ｒ１が炭素原子数６〜２０の直鎖状または分岐状のアルキル基またはアルケニル基である、請求項４に記載の修飾ヒアルロン酸および／またはその塩。
【請求項６】
ヒアルロン酸１構成単位に含まれる前記グリセリン骨格含有基の数が０．００１〜０．５である、請求項１〜５のいずれか１項に記載の修飾ヒアルロン酸および／またはその塩。
【請求項７】
１％水溶液の動粘度が５０ｍｍ２／ｓ以下である、請求項１〜６のいずれか１項に記載の修飾ヒアルロン酸および／またはその塩。
【請求項８】
ヒアルロン酸および／またはその塩を下記一般式（２）で表される化合物と反応させる工程を含む、請求項１に記載の修飾ヒアルロン酸および／またはその塩の製造方法。
【化２】
2011102462.tif 000012
・・・（２）
（式中、Ｒ１は直鎖状または分岐状のアルキル基またはアルケニル基を表す。）
【請求項９】
請求項１〜８のいずれか１項に記載の修飾ヒアルロン酸および／またはその塩を含有する、化粧料。
【請求項１０】
下記式（ｉ）で規定される透過率Ｘが４０％以上であり、かつ、下記式（ｉｉ）で規定される透過率Ｙが５０％以上である、炭化水素基含有基を有する修飾ヒアルロン酸および／またはその塩。
Ｘ＝Ｔ２／Ｔ１×１００（％）  ・・・（ｉ）
（式中、Ｔ１は水における波長６６０ｎｍ、光路長１０ｍｍの光の透過率であり、Ｔ２は１％の炭化水素基含有基を有する修飾ヒアルロン酸および／またはその塩を含有する水における波長６６０ｎｍ、光路長１０ｍｍの光の透過率である。）
Ｙ＝Ｔ４／Ｔ３×１００（％）  ・・・（ｉｉ）
（式中、Ｔ３は７０容量％エタノール含有エタノール−水混合液における波長６６０ｎｍ、光路長１０ｍｍの光の透過率であり、Ｔ４は１％の炭化水素基含有基を有する修飾ヒアルロン酸および／またはその塩を含有する７０容量％エタノール含有エタノール−水混合液における波長６６０ｎｍ、光路長１０ｍｍの光の透過率である。）
【請求項１１】
前記透過率Ｘが６０％以上である、請求項１０に記載の炭化水素基含有基を有する修飾ヒアルロン酸および／またはその塩。
【請求項１２】
前記透過率Ｙが７０％以上である、請求項１０または１１に記載の炭化水素基含有基を有する修飾ヒアルロン酸および／またはその塩。
【請求項１３】
前記炭化水素基含有基に含まれる炭化水素基が、炭素原子数６〜２０の直鎖状または分岐状のアルキル基またはアルケニル基である、請求項１０〜１２のいずれか１項に記載の炭化水素基含有基を有する修飾ヒアルロン酸および／またはその塩。
【請求項１４】
ヒアルロン酸１構成単位に含まれる前記炭化水素基含有基の数が０．００１〜０．２である、請求項１０〜１３のいずれか１項に記載の炭化水素基含有基を有する修飾ヒアルロン酸および／またはその塩。
【請求項１５】
１％水溶液の動粘度が５０ｍｍ２／ｓ以下である、請求項１０〜１４のいずれか１項に記載の炭化水素基含有基を有する修飾ヒアルロン酸および／またはその塩。
【請求項１６】
請求項１０〜１５のいずれか１項に記載の炭化水素基含有基を有する修飾ヒアルロン酸および／またはその塩を含有する、化粧料。
【発明の詳細な説明】
【技術分野】
【０００１】
本発明は、修飾ヒアルロン酸および／またはその塩、ならびにその製造方法およびこれを含む化粧料に関する。
【背景技術】
【０００２】
ヒアルロン酸は、鶏冠、さい帯、皮膚、軟骨、硝子体、関節液などの生体組織中に広く分布しており、例えば、化粧料、医薬品、食品の成分として広く利用されている。【０００３】
特許文献１（特開平６−２５３０６号公報）には、ヒアルロン酸のアルコール性水酸基に脂肪酸残基を結合させた溶媒不溶化ヒアルロン酸が記載されている。しかしながら、特許文献１に記載の溶媒不溶化ヒアルロン酸は水およびエタノールへの溶解性が低いため、水やエタノールを含有する製品（例えば、化粧料、医薬品、食品）に配合するには不向きである。
【発明の開示】
【０００４】
本発明は、皮膚等の生体組織について高い改質効果を有し、かつ水溶性に優れた修飾ヒアルロン酸および／またはその塩、ならびにその製造方法およびこれを含む化粧料を提供する。
【０００５】
１．本発明の一態様に係る修飾ヒアルロン酸および／またはその塩は、下記一般式（１）で表されるグリセリン骨格含有基を含む。
【０００６】
−Ｏ−ＣＨ２−ＣＨＯＨ−ＣＨ２−ＯＲ１      ・・・（１）
（式中、Ｒ１は直鎖状または分岐状のアルキル基またはアルケニル基を表す。）
【０００７】
本発明において、「修飾ヒアルロン酸および／またはその塩」とは、少なくとも一部に有機基が導入されているヒアルロン酸および／またはその塩のことをいい、ヒアルロン酸および／またはその塩とは異なる構造を有する。また、本発明において「有機基」とは、炭素原子を有する基のことをいう。さらに、本発明において、「炭化水素基含有基」とは、少なくとも一部に炭化水素基を有する有機基のことをいう。なお、本発明の「炭化水素基含有基を有する修飾ヒアルロン酸および／またはその塩」において、「炭化水素基含有基」の「炭化水素基」は、ヒアルロン酸および／またはその塩に含まれる炭化水素基とは異なるものをいう。
【０００８】
また、本発明において、「グリセリン骨格」とは、−Ｏ−ＣＨ２−ＣＨＯＨ−ＣＨ２−Ｏ−で表される構成単位のことをいう。グリセリン骨格という名称は、このグリセリン骨格がグリセリン（ＨＯ−ＣＨ２−ＣＨＯＨ−ＣＨ２−ＯＨ）の一部を構成するものであることに由来する。
【０００９】
２．上記修飾ヒアルロン酸および／またはその塩において、前記一般式（１）において、Ｒ１が炭素原子数６〜２０の直鎖状または分岐状のアルキル基またはアルケニル基であることができる。
【００１０】
３．上記修飾ヒアルロン酸および／またはその塩において、前記グリセリン骨格含有基がヒアルロン酸骨格を構成する炭素原子の少なくとも１つに結合していることができる。
【００１１】
４．上記修飾ヒアルロン酸および／またはその塩は、ヒアルロン酸および／またはその塩を下記一般式（２）で表される化合物と反応させることにより得ることができる。
【００１２】
【化１】
2011102462.tif 000002
・・・（２）
（式中、Ｒ１は直鎖状または分岐状のアルキル基またはアルケニル基を表す。）
【００１３】
５．上記４の場合、前記一般式（２）において、Ｒ１が炭素原子数６〜２０の直鎖状または分岐状のアルキル基またはアルケニル基であることができる。
【００１４】
６．上記修飾ヒアルロン酸および／またはその塩において、ヒアルロン酸１構成単位に含まれる前記グリセリン骨格含有基の数が０．００１〜０．５であることができる。
【００１５】
７．上記修飾ヒアルロン酸および／またはその塩において、修飾ヒアルロン酸および／またはその塩の１％水溶液の動粘度が５０ｍｍ２／ｓ以下であることができる。
【００１６】
８．本発明の別の一態様に係る修飾ヒアルロン酸および／またはその塩の製造方法は、上記修飾ヒアルロン酸および／またはその塩の製造方法であって、ヒアルロン酸および／またはその塩を下記一般式（２）で表される化合物と反応させる工程を含む。
【００１７】
【化２】
2011102462.tif 000003
・・・（２）
（式中、Ｒ１は直鎖状または分岐状のアルキル基またはアルケニル基を表す。）
【００１８】
９．本発明の他の一態様に係る化粧料は、上記修飾ヒアルロン酸および／またはその塩を含有する。
【００１９】
１０．本発明のさらに他の一態様に係る炭化水素基含有基を有する修飾ヒアルロン酸および／またはその塩は、下記式（ｉ）で規定される透過率Ｘが４０％以上であり、かつ、下記式（ｉｉ）で規定される透過率Ｙが５０％以上である。
Ｘ＝Ｔ２／Ｔ１×１００（％）  ・・・（ｉ）
（式中、Ｔ１は水における波長６６０ｎｍ、光路長１０ｍｍの光の透過率であり、Ｔ２は１％の炭化水素基含有基を有する修飾ヒアルロン酸および／またはその塩を含有する水における波長６６０ｎｍ、光路長１０ｍｍの光の透過率である。）
Ｙ＝Ｔ４／Ｔ３×１００（％）  ・・・（ｉｉ）
（式中、Ｔ３は７０容量％エタノール含有エタノール−水混合液における波長６６０ｎｍ、光路長１０ｍｍの光の透過率であり、Ｔ４は１％の炭化水素基含有基を有する修飾ヒアルロン酸および／またはその塩を含有する７０容量％エタノール含有エタノール−水混合液における波長６６０ｎｍ、光路長１０ｍｍの光の透過率である。）
【００２０】
１１．上記炭化水素基含有基を有する修飾ヒアルロン酸および／またはその塩において、前記透過率Ｘが６０％以上であることができる。
【００２１】
１２．上記炭化水素基含有基を有する修飾ヒアルロン酸および／またはその塩において、前記透過率Ｙが７０％以上であることができる。
【００２２】
１３．上記炭化水素基含有基を有する修飾ヒアルロン酸および／またはその塩において、前記炭化水素基含有基に含まれる炭化水素基が、炭素原子数６〜２０の直鎖状または分岐状のアルキル基またはアルケニル基であることができる。
【００２３】
１４．上記炭化水素基含有基を有する修飾ヒアルロン酸および／またはその塩において、ヒアルロン酸１構成単位に含まれる前記炭化水素基含有基の数が０．００１〜０．２であることができる。
【００２４】
１５．上記炭化水素基含有基を有する修飾ヒアルロン酸および／またはその塩において、１％水溶液の動粘度が５０ｍｍ２／ｓ以下であることができる。
【００２５】
１６．本発明のさらに他の一態様に係る化粧料は、上記炭化水素基含有基を有する修飾ヒアルロン酸および／またはその塩を含有する。
【００２６】
上記修飾ヒアルロン酸および／またはその塩は上記一般式（１）で表されるグリセリン骨格含有基を含むことにより、親水性および疎水性の両立を図ることができるため、皮膚等の生体組織について高い改質効果（例えば、皮膚のバリア機能修復効果）を有し、かつ水溶性に優れている。したがって、上記修飾ヒアルロン酸および／またはその塩は、例えば水を含有する様々な製品（化粧料、食品、医薬品）に使用することができ、皮膚等の生体組織について高い改質効果（例えば、皮膚のバリア機能修復効果）を発揮することができる。
【図面の簡単な説明】
【００２７】
【図１】図１（ａ）は、実施例１で得られた修飾ヒアルロン酸の１Ｈ−ＮＭＲスペクトル（観測周波数４００ＭＨｚ、内部標準物質：ＤＳＳ（０ｐｐｍ）、溶媒：重水）を示し、図１（ｂ）は、比較対照として、原料（グリセリン骨格含有基を有さない）のヒアルロン酸（キユーピー株式会社製、平均分子量８０００）の１Ｈ−ＮＭＲスペクトルを示す。
【図２】図２は、比較例１１で得られたサンプルの顕微鏡写真を示す。
【図３】図３は、試験液１および試験液２を塗布した場合のＴＥＷＬの測定値を示す。
【図４】図４は、試験液１および試験液２をそれぞれ塗布した場合の塗布後３日経過時の改善率（％）を示す。
【発明を実施するための形態】
【００２８】
以下、本発明の一実施形態に係る修飾ヒアルロン酸および／またはその塩、ならびにこれを含む化粧料について詳細に説明する。なお、本発明において「％」は「質量％」、「部」は「質量部」を意味する。
【００２９】
１．修飾ヒアルロン酸および／またはその塩
１．１．構造
１．１．１．グリセリン骨格含有基（炭化水素基含有基）
本実施形態に係る修飾ヒアルロン酸および／またはその塩は、下記一般式（１）で表されるグリセリン骨格含有基（以下、単に「グリセリン骨格含有基」ともいう。）を含む。
【００３０】
−Ｏ−ＣＨ２−ＣＨＯＨ−ＣＨ２−ＯＲ１      ・・・（１）
（式中、Ｒ１は直鎖状または分岐状のアルキル基またはアルケニル基を表す。）
【００３１】
本実施形態に係る修飾ヒアルロン酸および／またはその塩は、グリセリン骨格含有基に含まれる、水酸基を構成しない酸素原子の１つに前記一般式（１）におけるＲ１が結合し、グリセリン骨格含有基に含まれる水酸基は二級水酸基であり、グリセリン骨格含有基に含まれる、水酸基を構成しない酸素原子の他の１つがヒアルロン酸および／またはその塩を構成する炭素原子に結合している。
【００３２】
前記一般式（１）において、Ｒ１で表される直鎖状または分岐状のアルキル基としては、例えば、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、１−メチルブチル基、ｎ−ヘキシル基、イソヘキシル基、３−メチルペンチル基、２−メチルペンチル基、１−メチルペンチル基、ｎ−ヘプチル基、ｎ−オクチル基、イソオクチル基、２−エチルヘキシル基、ｎ−ノニル基、ｎ−デシル基、ｎ−ウンデシル基、ｎ−ドデシル基、ｎ−トリデシル基、ｎ−テトラデシル基（ミリスチル基）、ｎ−ヘキサデシル基（パルミチル基）、ｎ−オクタデシル基（ステアリル基）、ｎ−イコシル基が挙げられる。
【００３３】
また、前記一般式（１）において、Ｒ１で表される直鎖状または分岐状のアルケニル基としては、例えば、ビニル基、アリル基、プロペニル基、イソプロペニル基、ブテニル基、イソブテニル基、ペンテニル基、イソペンテニル基、ヘキセニル基、ヘプテニル基、オクテニル基、ノネニル基、デセニル基、ウンデセニル基、ドデセニル基、テトラデセニル基、オレイル基が挙げられる。
【００３４】
このうち、皮膚のバリア機能修復効果がより高く、かつ水溶性により優れている点で、前記一般式（１）において、Ｒ１で表される直鎖状または分岐状のアルキル基またはアルケニル基の炭素原子数が６〜２０であることが好ましく、８〜１８であることがより好ましく、１０〜１６であることがさらに好ましい。この場合、Ｒ１で表される基はアルキル基であることが好ましい。
【００３５】
本実施形態に係る修飾ヒアルロン酸および／またはその塩において、Ｒ１で表される直鎖状または分岐状のアルキル基またはアルケニル基の炭素原子数が６未満である場合、皮膚のバリア機能修復が十分でない場合があり、一方、Ｒ１で表される直鎖状または分岐状のアルキル基またはアルケニル基の炭素原子数が２０を超える場合、水溶性が低い場合がある。
【００３６】
１．１．２．ヒアルロン酸構成単位
本発明において、「ヒアルロン酸」とは、グルクロン酸とＮ−アセチルグルコサミンとの２糖からなる構成単位を１以上有する多糖類をいう。また、「ヒアルロン酸の塩」としては、特に限定されないが、食品または薬学上許容しうる塩であることが好ましく、例えば、ナトリウム塩、カリウム塩、カルシウム塩、亜鉛塩、マグネシウム塩、アンモニウム塩、アルキルアンモニウム塩等が挙げられる。
【００３７】
ヒアルロン酸は、基本的にはβ−Ｄ−グルクロン酸の１位とβ−Ｄ−Ｎ−アセチル−グルコサミンの３位とが結合した２糖単位を少なくとも１個含む２糖以上のものでかつβ−Ｄ−グルクロン酸とβ−Ｄ−Ｎ−アセチル−グルコサミンとから基本的に構成され、２糖単位が複数個結合したものであり、またこの誘導体、例えば、アシル基等の加水分解性保護基を有したもの等も使用し得る。該糖は不飽和糖であってもよく、不飽和糖としては、非還元末端糖、通常、グルクロン酸の４，５位炭素間が不飽和のもの等が挙げられる。
【００３８】
本実施形態に係る修飾ヒアルロン酸および／またはその塩では、皮膚のバリア機能修復効果をより高めることができ、かつ水溶性により優れている点で、ヒアルロン酸の１構成単位に含まれるグリセリン骨格含有基の数が０．００１〜０．５であることが好ましく、０．００５〜０．２であることがより好ましく、０．０１〜０．１５であることがさらに好ましい。ここで、「ヒアルロン酸の１構成単位」とは、グルクロン酸とＮ−アセチルグルコサミンとの二糖からなる１構成単位を意味する。
【００３９】
本実施形態に係る修飾ヒアルロン酸および／またはその塩において、ヒアルロン酸の１構成単位に含まれるグリセリン骨格含有基の数が０．００１未満である場合、エタノールへの溶解性が低くて疎水性が十分でないため、皮膚のバリア機能修復効果が十分でない場合があり、一方、ヒアルロン酸の１構成単位に含まれるグリセリン骨格含有基の数が０．５を超える場合、水溶性が低い場合がある。
【００４０】
また、本実施形態に係る修飾ヒアルロン酸および／またはその塩において、ヒアルロン酸の１構成単位に含まれるグリセリン骨格含有基の数は、１Ｈ−ＮＭＲスペクトル解析によって同定することができる。
【００４１】
すなわち、本実施形態に係る修飾ヒアルロン酸および／またはその塩の１Ｈ−ＮＭＲスペクトルにおいて、ヒアルロン酸の１構成単位を構成するＮ−アセチルグルコサミンの−ＮＨＣ（＝Ｏ）ＣＨ３（Ｎ−アセチル基）のメチル基（−ＣＨ３）のプロトンを示すピークの積分値に対する、グリセリン骨格含有基中のＲ１に含まれるメチレン基（−ＣＨ２−）のプロトンを示すピークの積分値の比を算出することにより、本実施形態に係る修飾ヒアルロン酸および／またはその塩における、ヒアルロン酸の１構成単位に含まれるグリセリン骨格含有基の数を同定することができる。より具体的な同定方法については、後述する本願実施例にて説明する。
【００４２】
本実施形態に係る修飾ヒアルロン酸および／またはその塩では、グリセリン骨格含有基がヒアルロン酸骨格を構成する炭素原子の少なくとも１つに結合していることができる。本発明において、「ヒアルロン酸骨格を構成する炭素原子」とは、ヒアルロン酸を構成するグルクロン酸およびＮ−アセチルグルコサミンに含まれる炭素原子をいう。例えば、原料ヒアルロン酸および／またはその塩に含まれるカルボキシル基および水酸基のうち少なくとも１つに後述する化合物１または化合物２を反応させて、グリセリン骨格含有基を導入することにより、修飾ヒアルロン酸および／またはその塩を得ることができる。
【００４３】
なお、本実施形態に係る修飾ヒアルロン酸および／またはその塩において、グリセリン骨格含有基が、修飾ヒアルロン酸および／またはその塩に結合していることは、例えば、本実施形態に係る修飾ヒアルロン酸および／またはその塩の１Ｈ−ＮＭＲスペクトルと、原料であるヒアルロン酸および／またはその塩の１Ｈ−ＮＭＲスペクトルとの比較において、修飾ヒアルロン酸のグリセリン骨格含有基中のメチレン基（−ＣＨ２−）のプロトンを示すピークによって確認することができる。
【００４４】
また、本実施形態に係る修飾ヒアルロン酸および／またはその塩において、グリセリン骨格含有基は例えば、修飾ヒアルロン酸および／またはその塩を構成する４位の炭素原子（Ｃ−４）および６位の炭素原子（Ｃ−６）、ならびに、修飾ヒアルロン酸および／またはその塩を構成するグルクロン酸の２位の炭素原子（Ｃ−２）、３位の炭素原子（Ｃ−３）、および５位の炭素原子（Ｃ−５）に結合するカルボニル基から選ばれる少なくとも１つに結合することができる。より具体的には、本実施形態に係る修飾ヒアルロン酸および／またはその塩は以下の一般式（３）で表される化合物であることができる。
【００４５】
【化３】
2011102462.tif 000004
・・・（３）
（式中、Ｒ２〜Ｒ６は独立して、水酸基または上記一般式（１）で表されるグリセリン骨格含有基を表し（ただし、Ｒ２〜Ｒ６がいずれも水酸基を表す場合を除く。）、ｎは１〜７５０の数を示す。）
【００４６】
なお、上記一般式（３）において、２位の炭素原子（Ｃ−２）に結合するＮ−アセチルグルコサミンの窒素原子に結合している水素原子が、上記一般式（１）で表されるグリセリン骨格含有基で置換されていてもよい。
【００４７】
また、上記一般式（３）で表される化合物において、皮膚のバリア機能修復効果をより高めることができ、かつ水溶性に優れている点で、ｎは１〜５０であることが好ましく、１〜２５であることがより好ましい。
【００４８】
１．１．３．動粘度
本発明において、修飾ヒアルロン酸および／またはその塩の水溶液の動粘度は、ウベローデ粘度計（柴田科学器械工業株式会社製）を用いて測定することができる。この際、流下秒数が２００〜１０００秒になるような係数のウベローデ粘度計を選択する。また、測定は３０℃の恒温水槽中で行ない、温度変化のないようにする。
【００４９】
ウベローデ粘度計により測定された前記水溶液の流下秒数と、ウベローデ粘度計の係数との積により、動粘度（単位：ｍｍ２／ｓ）を求めることができる。
【００５０】
本実施形態に係る修飾ヒアルロン酸および／またはその塩の１％水溶液の動粘度は、皮膚の角質への浸透性により優れており、皮膚のバリア機能を修復する効果をより高めることができる点で５０ｍｍ２／ｓ以下であることが好ましく、０．１〜１０ｍｍ２／ｓであることがより好ましく、０．５〜３ｍｍ２／ｓであることがさらに好ましい。本実施形態に係る修飾ヒアルロン酸および／またはその塩の１％水溶液の動粘度が０．１〜１０ｍｍ２／ｓ（さらに好ましくは０．５〜３ｍｍ２／ｓ）である場合、グリセリン骨格含有基を有することにより、皮膚の角質への浸透性に特に優れており、皮膚のバリア機能修復効果をさらに高めることができる。
【００５１】
１．１．４．分子量
本発明において、ヒアルロン酸および／またはその塩の平均分子量は、以下の方法にて測定された値である。
【００５２】
即ち、約０．０５ｇのヒアルロン酸および／またはその塩（本品）を精密に量り、０．２ｍｏｌ／Ｌ濃度の塩化ナトリウム溶液に溶かし、正確に１００ｍＬとした溶液およびこの溶液８ｍＬ、１２ｍＬ並びに１６ｍＬを正確に量り、それぞれに０．２ｍｏｌ／Ｌ濃度の塩化ナトリウム溶液を加えて正確に２０ｍＬとした溶液を試料溶液とする。この試料溶液および０．２ｍｏｌ／Ｌ濃度の塩化ナトリウム溶液につき、日本薬局方（第十五改正）一般試験法の粘度測定法（第１法  毛細管粘度計法）により３０．０±０．１℃で比粘度を測定し（式（Ａ））、各濃度における還元粘度を算出する（式（Ｂ））。還元粘度を縦軸に、本品の換算した乾燥物に対する濃度（ｇ／１００ｍＬ）を横軸にとってグラフを描き、各点を結ぶ直線と縦軸との交点から極限粘度を求める。ここで求められた極限粘度をＬａｕｒｅｎｔの式（式（Ｃ））に代入し、平均分子量を算出する（T.C. Laurent, M. Ryan, A. Pietruszkiewicz,:B.B.A., 42, 476-485(1960)）。
【００５３】
（式Ａ）
比粘度 ＝ {試料溶液の所要流下秒数)/(０．２ｍｏｌ／Ｌ塩化ナトリウム溶液の所要流下秒数)}−1
【００５４】
（式Ｂ）
還元粘度（ｄＬ／ｇ）＝ 比粘度/(本品の換算した乾燥物に対する濃度ｇ／１００ｍＬ))
【００５５】
（式Ｃ）
極限粘度（ｄＬ／ｇ）＝３．６×１０−４Ｍ０．７８
Ｍ：平均分子量
【００５６】
１．１．５．透過率Ｘ，Ｙ
本実施形態に係る修飾ヒアルロン酸および／またはその塩は、１％の修飾ヒアルロン酸および／またはその塩を含有する水における光（波長６６０ｎｍ、光路長１０ｍｍ）の透過率Ｘが、水に対して、２０％以上であることが好ましく、４０％以上であることがより好ましく、８０％以上であることがさらに好ましい。ここで、修飾ヒアルロン酸および／またはその塩を含有する水における上記光の透過率Ｘは、修飾ヒアルロン酸および／またはその塩の水への溶解性を示す指標である。特に、修飾ヒアルロン酸および／またはその塩を含有する水における上記光の透過率Ｘが４０％以上である修飾ヒアルロン酸および／またはその塩は、水への溶解性に優れており、水分を含有する製品へ配合し易いものである。
【００５７】
また、本実施形態に係る修飾ヒアルロン酸および／またはその塩は、１％の修飾ヒアルロン酸および／またはその塩を含有するエタノール−水混合液（エタノール含量７０容量％）における光（波長６６０ｎｍ、光路長１０ｍｍ）の透過率Ｙが、エタノール−水混合液（エタノール含量７０容量％）に対して、２０％以上であることが好ましく、５０％以上であることがより好ましく、７０％以上であることがさらに好ましい。ここで、修飾ヒアルロン酸および／またはその塩を含有するエタノール−水混合液における上記光の透過率Ｙは、修飾ヒアルロン酸および／またはその塩のエタノールへの溶解性を示す指標である。特に、修飾ヒアルロン酸および／またはその塩を含有するエタノール−水混合液における上記光の透過率Ｙが５０％以上である修飾ヒアルロン酸および／またはその塩は、エタノールへの溶解性に優れており、エタノールを含有する製品に配合し易いものであって、疎水性が高いものである。
【００５８】
１．２．修飾ヒアルロン酸および／またはその塩の製造方法
本実施形態に係る修飾ヒアルロン酸および／またはその塩は、例えば、ヒアルロン酸および／またはその塩を下記一般式（２）で表される化合物（本明細書において「化合物１」ともいう。）と反応させる工程によって得られる。あるいは、ヒアルロン酸および／またはその塩を下記一般式（４）で表される化合物（本明細書において「化合物２」ともいう。）と反応させることによって、本実施形態に係る修飾ヒアルロン酸および／または塩を調製してもよい。なお、反応性を高めるために、原料のヒアルロン酸および／またはその塩（以下「原料ヒアルロン酸および／またはその塩」という。）をアルキルアンモニウム塩に置換した後に、化合物１または化合物２と反応させることが好ましい。
【００５９】
【化４】
2011102462.tif 000005
・・・（２）
（式中、Ｒ１は直鎖状または分岐状のアルキル基またはアルケニル基を表す。）
【００６０】
前記一般式（２）においてＲ１で表される基としては、前記一般式（１）においてＲ１で表される基として例示したものが挙げられる。
【００６１】
【化５】
2011102462.tif 000006
・・・（４）
（式中、Ｒ１は上記一般式（２）におけるＲ１と同義であり、Ｘはハロゲン原子を示す。）
【００６２】
前記一般式（４）においてＸで表されるハロゲン原子としては例えば、塩素原子、臭素原子、ヨウ素原子が挙げられる。
【００６３】
１．２．１．原料
本実施形態に係る修飾ヒアルロン酸および／またはその塩の製造に使用される原料ヒアルロン酸および／またはその塩は、動物等の生体組織（例えば鶏冠、さい帯、皮膚、関節液など）から抽出されたものでもよく、または、微生物、動物細胞もしくは植物細胞を培養して得られたもの（例えばストレプトコッカス属の細菌等を用いた発酵法）、化学的または酵素的に合成されたものなどを使用することができる。
【００６４】
原料ヒアルロン酸および／またはその塩の平均分子量は通常、親水性および適度な疎水性を両立できる点で、４００〜１００万であることが好ましく、１０００〜３０万であることがより好ましく、２０００〜５万であることがさらに好ましい。
【００６５】
原料ヒアルロン酸および／またはその塩としては、当該粗抽出物および精製物のいずれを用いてもよいが、精製物、具体的には、ヒアルロン酸および／またはその塩の純度が９０％（質量比）以上のものが好ましい。純度が９０％未満の原料ヒアルロン酸および／またはその塩を原料として用いた場合、ヒアルロン酸および／またはその塩と、前記化合物１または化合物２との反応が阻害される場合があるため好ましくない。
【００６６】
１．２．２．アルキルアンモニウム塩への変換
原料ヒアルロン酸および／またはその塩をヒアルロン酸のアルキルアンモニウム塩に変換する場合、例えば、原料ヒアルロン酸および／またはその塩に化合物（以下「化合物３」ともいう。）を反応させることにより、ヒアルロン酸の第四級アルキルアンモニウム塩を得ることができる。このような化合物３としては、例えば、水酸化テトラエチルアンモニウム、水酸化テトラプロピルアンモニウム、水酸化テトラブチルアンモニウム等の炭素原子数２〜１８の水酸化第四級アルキルアンモニウムが挙げられる。すなわち、ヒアルロン酸の第四級アルキルアンモニウム塩は例えば、炭素原子数２〜１８の第四級アルキルアンモニウム塩であることが好ましい。第四級アルキルアンモニウム塩としては、例えば、テトラエチルアンモニウム塩、テトラプロピルアンモニウム塩、テトラブチルアンモニウム塩、テトラペンチルアンモニウム塩、テトラヘキシルアンモニウム塩が挙げられる。
【００６７】
１．２．３．アルキルアンモニウム塩と化合物１または化合物２との反応
ヒアルロン酸の第四級アルキルアンモニウム塩と化合物１または化合物２との反応は、有機溶媒中で行うことができる。ここで、反応温度は通常０〜２００℃であり、反応時間は通常０．１〜４８時間である。上記反応で使用する有機溶媒としては、例えば、ジメチルホルミアミド（ＤＭＦ）、ジメチルスルホキシド（ＤＭＳＯ）、テトラヒドロフラン等が挙げられ、これらを単独でまたは組み合わせて使用することができる。
【００６８】
化合物１は単独で、または二種以上を組み合わせて使用してもよい。化合物１の具体例としては、例えば、メチルグリシジルエーテル、エチルグリシジルエーテル、プロピルグリシジルエーテル、ブチルグリシジルエーテル、オクチルグリシジルエーテル、デシルグリシジルエーテル、ドデシルグリシジルエーテル、トリデシルグリシジルエーテル、ミリスチルグリシジルエーテル、パルミチルグリシジルエーテル、ステアリルグリシジルエーテル等のアルキルグリシジルエーテル、アリルグリシジルエーテル等のアルケニルグリシジルエーテルが挙げられる。
【００６９】
また、化合物２は単独で、または二種以上を組み合わせて使用してもよい。化合物２の具体例としては、例えば、メチル３−クロロ−２−ヒドロキシプロピルエーテル、エチル３−クロロ−２−ヒドロキシプロピルエーテル、プロピル３−クロロ−２−ヒドロキシプロピルエーテル、ブチル３−クロロ−２−ヒドロキシプロピルエーテル、オクチル３−クロロ−２−ヒドロキシプロピルエーテル、デシル３−クロロ−２−ヒドロキシプロピルエーテル、ドデシル３−クロロ−２−ヒドロキシプロピルエーテル、トリデシル３−クロロ−２−ヒドロキシプロピルエーテル、ミリスチル３−クロロ−２−ヒドロキシプロピルエーテル、パルミチル３−クロロ−２−ヒドロキシプロピルエーテル、ステアリル３−クロロ−２−ヒドロキシプロピルエーテル、アリル３−クロロ−２−ヒドロキシプロピルエーテルが挙げられる。
【００７０】
１．２．４．精製
本実施形態に係る修飾ヒアルロン酸および／またはその塩の製造方法においては、ヒアルロン酸および／またはその塩を化合物１と反応させる工程の後、ナトリウム塩およびカリウム塩またはいずれか一方を反応液に添加する工程をさらに含むことができる。
【００７１】
反応液中のナトリウム塩およびカリウム塩またはいずれか一方の濃度は、５〜２０％であることが好ましい。ナトリウム塩およびカリウム塩またはいずれか一方の濃度が５％未満では、次の沈殿物を得る工程で沈殿ができない恐れがある。２０％を超えると、次の沈殿物を得る工程で、修飾ヒアルロン酸および／またはその塩と一緒にナトリウム塩またはカリウム塩が沈殿してしまう恐れがある。
【００７２】
また、本実施形態に係る修飾ヒアルロン酸および／またはその塩の製造方法においては、ナトリウム塩およびカリウム塩またはいずれか一方を反応液に添加する工程の後に、反応液にアルコールを添加して、沈殿物を得る工程をさらに含むことができる。また、アルコールとしては例えば、メタノール、エタノールが挙げられ、エタノールが好ましい。ここで、沈殿物は、修飾ヒアルロン酸および／またはその塩である。すなわち、反応液にアルコールを添加して、沈殿物（修飾ヒアルロン酸および／またはその塩）を得ることにより、残存する試薬と分離して、修飾ヒアルロン酸および／またはその塩を得ることができる。
【００７３】
沈殿物を得た後、必要に応じて、修飾ヒアルロン酸および／またはその塩が溶解しにくい溶媒（例えば、含水アルコール）で沈殿物を洗浄してもよい。その後、沈殿物を乾燥することにより、精製された修飾ヒアルロン酸および／またはその塩を得ることができる。
【００７４】
上述の沈殿物を得る工程は複数回繰り返して行ってもよい。
【００７５】
また、本実施形態に係る修飾ヒアルロン酸および／またはその塩の製造方法において、修飾ヒアルロン酸および／またはその塩の動粘度が低い場合（例えば動粘度が１０ｍｍ２／ｓである場合）、上述した方法では反応液にアルコールを添加しても沈殿物が得られない場合がある。この場合、本実施形態に係る修飾ヒアルロン酸および／またはその塩の製造方法は、ナトリウム塩およびカリウム塩またはいずれか一方を反応液に添加する工程の後に、反応液のｐＨを３以下に調整する工程と、ｐＨ３以下の反応液に水溶性有機溶媒を添加して、懸濁液を得る工程と、懸濁液をｐＨ３．５〜８に調整して、修飾ヒアルロン酸および／またはその塩を沈殿させる工程とをさらに含むことができる。これらの工程を行うことにより、動粘度が低い場合であっても、高純度の修飾ヒアルロン酸および／またはその塩を高い回収率にて得ることができる。
【００７６】
本発明において、「懸濁液」とは、固体の微粒子が液体中に分散している混合物である。例えば、懸濁液では、液中に固体が分散していて液が濁っている状態であってもよいし、懸濁相と上澄み相とに分離していてもよい。後の工程において修飾ヒアルロン酸および／またはその塩が沈殿しやすい点で、懸濁液は懸濁相と上澄み相とに分離していることが好ましい。
【００７７】
懸濁液を得る工程において、水溶性有機溶媒は、溶液が懸濁液へと変化するのに少なくとも必要な量が添加されればよい。水溶性有機溶媒としては、例えば、メタノール、エタノール、１−プロパノール、２−プロパノールなどのアルコール系溶媒、アセトン、メチルエチルケトンなどのケトン系溶媒、テトラヒドロフラン、アセトニトリル等を挙げることができ、これらを単独でまたは組み合わせて使用することができる。このうち、エタノールが好ましい。
【００７８】
水溶性有機溶媒の添加量は、修飾ヒアルロン酸および／またはその塩を含む溶液１部に対して、１部以上、好ましくは２〜５０部、より好ましくは５〜２０部である。この場合、水溶性有機溶媒の添加量が修飾ヒアルロン酸および／またはその塩を含む溶液１部に対して１部未満であると、懸濁が生じ難くなる。
【００７９】
また、懸濁液を得る工程において、水溶性有機溶媒を添加する前の溶液はｐＨ３以下であり、好ましくはｐＨ０．５〜２．５、より好ましくはｐＨ１〜２である。水溶性有機溶媒を添加する前の溶液のｐＨが３を超えると、水溶性有機溶媒を加えても懸濁が生じにくく、後の工程で溶液のｐＨを３．５〜８に調整しても、修飾ヒアルロン酸および／またはその塩が沈殿しにくい。また、水溶性有機溶媒を添加する前の溶液のｐＨが低すぎると、後の工程で溶液のｐＨを３．５〜８に調整する際に多量の塩が生成するため、好ましくない場合がある。
【００８０】
修飾ヒアルロン酸および／またはその塩を沈殿させる工程において、懸濁液をｐＨ３．５〜８に調整して、修飾ヒアルロン酸および／またはその塩を沈殿させる。この場合、懸濁液のｐＨが３．５〜８の範囲を外れると、修飾ヒアルロン酸および／またはその塩が沈殿するのが困難になる。また、より高い回収率を達成できる点で、懸濁液をｐＨ４〜７に調整するのが好ましく、ｐＨ４〜６に調整するのがより好ましい。
【００８１】
１．３．用途
本実施形態に係る修飾ヒアルロン酸および／またはその塩は、例えば皮膚等の生体組織に対する高い改質効果（特に、皮膚のバリア機能修復効果）を有している。本実施形態に係る修飾ヒアルロン酸および／またはその塩は、生体組織の表面に塗布または接触して摂取させてもよいし、特に、顔、腕、手指、足、関節などの皮膚に塗布または接触させるのが好ましい。
【００８２】
また、本実施形態に係る修飾ヒアルロン酸および／またはその塩は後述するように、例えば化粧料の成分として使用することができる。すなわち、本発明の一実施形態に係る化粧料は、修飾ヒアルロン酸および／またはその塩を含有する。特に、本実施形態に係る修飾ヒアルロン酸および／またはその塩は、エタノールに対する溶解性に優れている。このため、油性原料を含む化粧料に配合する場合、分離または析出が生じることなく混合することができる。したがって、本実施形態に係る修飾ヒアルロン酸および／またはその塩は、修飾されていない通常のヒアルロン酸と比較して、油性原料を含む化粧料に好適に使用できる。また、本実施形態に係る修飾ヒアルロン酸および／またはその塩は、水に対する溶解性に優れているため、例えば水を含有する種々の製品に使用できる。
【００８３】
１．４．作用効果
本実施形態に係る修飾ヒアルロン酸および／またはその塩は上記一般式（１）で表されるグリセリン骨格含有基を含むことにより、親水性および疎水性の両立を図ることができるため、優れた皮膚のバリア機能修復効果を発揮できる。
【００８４】
本実施形態に係る修飾ヒアルロン酸および／またはその塩が、皮膚のバリア機能修復効果を発揮するメカニズムは以下の通りであると推測される。すなわち、本実施形態に係る修飾ヒアルロン酸および／またはその塩を皮膚に塗布した場合、本実施形態に係る修飾ヒアルロン酸および／またはその塩のヒアルロン酸骨格部位が、皮膚の角質層を構成する水層に配置され、本実施形態に係る修飾ヒアルロン酸および／またはその塩のグリセリン骨格含有基が、皮膚の角質層を構成する脂質層に配置される。これにより、皮膚の角質層が本来有する水層および脂質層からなるラメラ構造が修復されて、本来ラメラ構造が有するバリア機能が修復される。その結果、皮膚のバリア機能修復効果を発揮することができる。
【００８５】
本実施形態に係る修飾ヒアルロン酸および／またはその塩では、グリセリン骨格含有基（炭化水素基含有基）中のＲ１によって疎水性がもたらされ、本実施形態に係る修飾ヒアルロン酸および／またはその塩に含まれる水酸基（グリセリン骨格含有基（炭化水素基含有基）中の水酸基を含む）および／またはカルボキシル基によって親水性がもたらされると推察される。
【００８６】
本実施形態に係る修飾ヒアルロン酸および／またはその塩を例えば皮膚に塗布した場合、皮膚の角質層において、本実施形態に係る修飾ヒアルロン酸および／またはその塩のグリセリン骨格含有基（炭化水素基含有基）中のＲ１が脂質層に入り込み、本実施形態に係る修飾ヒアルロン酸および／またはその塩に含まれるヒアルロン酸骨格部分が水層に入り込むことによって皮膚のラメラ構造を修復し、皮膚からの水の蒸発を防止することができる。これにより、皮膚の保湿力を高めることができると推察される。
【００８７】
本実施形態に係る修飾ヒアルロン酸および／またはその塩は上記一般式（１）で表されるグリセリン骨格含有基を含むことにより、水溶性に優れているため、例えば水を含有する種々の製品に添加して使用することができる。
【００８８】
また、本実施形態に係る修飾ヒアルロン酸および／またはその塩は、水およびエタノールに対する溶解性に優れているため、本実施形態に係る修飾ヒアルロン酸および／またはその塩を例えば含水液である製品に配合した場合、当該製品への溶解性に優れており、透明性が高い製品を得ることができる。
【００８９】
１．５．炭化水素基含有基を有する修飾ヒアルロン酸および／またはその塩
本実施形態に係る修飾ヒアルロン酸および／またはその塩は、炭化水素基含有基を有し、下記式（ｉ）で規定される透過率Ｘが４０％以上であり、かつ、下記式（ｉｉ）で規定される透過率Ｙが５０％以上であることができる。
【００９０】
Ｘ＝Ｔ２／Ｔ１×１００（％）  ・・・（ｉ）
（式中、Ｔ１は水における波長６６０ｎｍ、光路長１０ｍｍの光の透過率であり、Ｔ２は１％の炭化水素基含有基を有する修飾ヒアルロン酸および／またはその塩を含有する水における波長６６０ｎｍ、光路長１０ｍｍの光の透過率である。）
【００９１】
Ｙ＝Ｔ４／Ｔ３×１００（％）  ・・・（ｉｉ）
（式中、Ｔ３は７０容量％エタノール含有エタノール−水混合液における波長６６０ｎｍ、光路長１０ｍｍの光の透過率であり、Ｔ４は１％の炭化水素基含有基を有する修飾ヒアルロン酸および／またはその塩を含有する７０容量％エタノール含有エタノール−水混合液における波長６６０ｎｍ、光路長１０ｍｍの光の透過率である。）
【００９２】
本実施形態に係る炭化水素基含有基を有する修飾ヒアルロン酸および／またはその塩の透過率Ｘが４０％である場合、好ましくは透過率Ｘが６０％以上である場合、より好ましくは透過率Ｘが８０％以上である場合、水への溶解性に優れており、水分を含有する製品へ配合し易いものである。
【００９３】
本実施形態に係る炭化水素基含有基を有する修飾ヒアルロン酸および／またはその塩の透過率Ｙが５０％である場合、好ましくは透過率Ｙが７０％以上である場合、より好ましくは透過率Ｙが８０％以上である場合、エタノールへの溶解性に優れており、エタノールを含有する製品へ配合し易いものであって、疎水性が高いものである。
【００９４】
本実施形態に係る炭化水素基含有基を有する修飾ヒアルロン酸および／またはその塩は、透過率Ｘが４０％以上（好ましくは６０％以上、より好ましくは８０％以上）であり、かつ、透過率Ｙが５０％以上（好ましくは７０％以上、より好ましくは８０％以上）であることにより、親水性および疎水性の両立を図ることができるため、皮膚等の生体組織について高い改質効果（例えば、皮膚のバリア機能修復効果）を有し、かつ、水溶性に優れている。
【００９５】
炭化水素基含有基は、炭化水素基を少なくとも一部に有する基である。本発明で炭化水素基とは、直鎖状または分岐状のアルキル基またはアルケニル基のことであり、直鎖状または分岐状のアルキル基としては、例えば、メチル基、エチル基、ｎ−プロピル基、イソプロピル基、ｎ−ブチル基、イソブチル基、ｔｅｒｔ−ブチル基、ｎ−ペンチル基、イソペンチル基、ネオペンチル基、ｔｅｒｔ−ペンチル基、２−メチルブチル基、１−メチルブチル基、ｎ−ヘキシル基、イソヘキシル基、３−メチルペンチル基、２−メチルペンチル基、１−メチルペンチル基、ｎ−ヘプチル基、ｎ−オクチル基、イソオクチル基、２−エチルヘキシル基、ｎ−ノニル基、ｎ−デシル基、ｎ−ウンデシル基、ｎ−ドデシル基、ｎ−トリデシル基、ｎ−テトラデシル基（ミリスチル基）、ｎ−ヘキサデシル基（パルミチル基）、ｎ−オクタデシル基（ステアリル基）、ｎ−イコシル基が挙げられる。
【００９６】
また、直鎖状または分岐状のアルケニル基としては、例えば、ビニル基、アリル基、プロペニル基、イソプロペニル基、ブテニル基、イソブテニル基、ペンテニル基、イソペンテニル基、ヘキセニル基、ヘプテニル基、オクテニル基、ノネニル基、デセニル基、ウンデセニル基、ドデセニル基、テトラデセニル基、オレイル基が挙げられる。
【００９７】
本実施形態に係る炭化水素基含有基を有する修飾ヒアルロン酸および／またはその塩において、炭化水素基含有基は、皮膚のバリア機能修復効果がより高く、かつ、水溶性により優れている点で、例えば、下記一般式（ｉｉｉ）で表される基であることが好ましい。
【００９８】
−Ｏ−ＣＨ２−ＣＨＯＨ−ＣＨ２−ＯＲ１      ・・・（ｉｉｉ）
（式中、Ｒ１は炭化水素基を表す。）
【００９９】
本実施形態に係る炭化水素基含有基を有する修飾ヒアルロン酸および／またはその塩において、炭化水素基含有基が例えば前記一般式（ｉｉｉ）で表される基である場合、−Ｏ−ＣＨ２−ＣＨＯＨ−ＣＨ２−Ｏ−部位に含まれる、水酸基を構成しない酸素原子の１つに前記一般式（ｉｉｉ）におけるＲ１が結合し、−Ｏ−ＣＨ２−ＣＨＯＨ−ＣＨ２−Ｏ−部位に含まれる水酸基は二級水酸基であり、−Ｏ−ＣＨ２−ＣＨＯＨ−ＣＨ２−Ｏ−部位に含まれる、水酸基を構成しない酸素原子の他の１つがヒアルロン酸および／またはその塩を構成する炭素原子に結合することができる。
【０１００】
このうち、皮膚のバリア機能修復効果がより高く、かつ水溶性により優れている点で、炭化水素基含有基に含まれる炭化水素基（例えば炭化水素基含有基が前記一般式（ｉｉｉ）で示される基である場合、Ｒ１で表される炭化水素基）の炭素原子数が６〜２０であることが好ましく、８〜１８であることがより好ましく、１０〜１６であることがさらに好ましい。なお、この場合、炭化水素基含有基に含まれる炭化水素基（例えば炭化水素基含有基が前記一般式（ｉｉｉ）で示される基である場合、Ｒ１で表される炭化水素基）はアルキル基であることが好ましい。
【０１０１】
本実施形態に係る炭化水素基含有基を有する修飾ヒアルロン酸および／またはその塩において、炭化水素基含有基に含まれる炭化水素基（例えば炭化水素基含有基が前記一般式（ｉｉｉ）で示される基である場合、Ｒ１で表される炭化水素基）の炭素原子数が６未満である場合、皮膚のバリア機能修復が十分でない場合があり、一方、炭化水素基含有基に含まれる炭化水素基（例えば炭化水素基含有基が前記一般式（ｉｉｉ）で示される基である場合、Ｒ１で表される炭化水素基）の炭素原子数が２０を超える場合、水溶性が低い場合がある。
【０１０２】
本実施形態に係る修飾ヒアルロン酸および／またはその塩は、炭化水素基含有基（例えば上記一般式（ｉｉｉ）で表される基）を含み、透過率Ｘが４０％以上であって、かつ、透過率Ｙが５０％以上であることにより、親水性および疎水性の両立を図ることができるため、優れた皮膚のバリア機能修復効果を発揮できる。特に、本実施形態に係る修飾ヒアルロン酸および／またはその塩はエタノールへの溶解性に優れていることから、修飾されていない通常のヒアルロン酸よりも高い疎水性を有しているため、例えば油分が多い化粧料に好適に使用できる。また、本実施形態に係る修飾ヒアルロン酸および／またはその塩は、炭化水素基含有基（例えば上記一般式（ｉｉｉ）で表される基）を含み、透過率Ｘが４０％以上であって、かつ、透過率Ｙが５０％以上であることにより、親水性および疎水性の両立を図ることができるため、優れた皮膚のバリア機能修復効果を発揮できるとともに、水溶性に優れているため、例えば水を含有する種々の製品に添加して使用することが容易である。
【０１０３】
２．化粧料
本発明の一実施形態に係る化粧料は、上記修飾ヒアルロン酸および／またはその塩を含有する。例えば、本実施形態に係る化粧料は、上記修飾ヒアルロン酸および／またはその塩を保湿剤として含有することができる。また、本実施形態に係る化粧料は、上記修飾ヒアルロン酸および／またはその塩を通常、０．００１〜５％含有する。含有量が０．００１％未満では、満足な保湿効果や滑らかさが得られないため、使用時の皮膚のかさつき感を改善することができない恐れがある。含有量が５％を超えると、粘度が高くなりすぎ皮膚全体に伸ばしにくくなる恐れがある。さらに、本実施形態に係る化粧料が含水液である場合、水およびエタノールに対する溶解性に優れる本実施形態に係る修飾ヒアルロン酸および／またはその塩を含有するため、本実施形態に係る化粧料は透明性に優れている。
【０１０４】
本実施形態に係る化粧料の態様は特に限定されないが、例えば、皮膚用化粧料が挙げられる。上記修飾ヒアルロン酸および／またはその塩を皮膚用化粧料に使用することにより、適度な粘度を有し、かつ、皮膚のバリア機能修復効果が高いため、皮膚に潤いを付与し、感触を改善し、かつ、皮膚のかさつき感を改善することができる。本実施形態に係る皮膚用化粧料の態様としては、例えば、洗顔料、洗浄料、化粧水（例えば、美白化粧水）、クリーム（例えば、バニシングクリーム、コールドクリーム）、乳液、美容液、パック（例えば、ゼリー状ピールオフタイプ、ペースト状拭き取りタイプ、粉末状洗い流しタイプ）、クレンジング、ファンデーション、口紅、リップクリーム、リップグロス、リップライナー、頬紅、シェービングローション、アフターサンローション、デオドラントローション、ボディローション（ハンドケアローション、フットケアローションを含む）、ボディオイル、石鹸、入浴剤が挙げられる。
【０１０５】
また、本実施形態に係る修飾ヒアルロン酸および／またはその塩は、エタノールに対する溶解性に優れており、適度な疎水性を有する。よって、本実施形態に係る修飾ヒアルロン酸および／またはその塩を、油性原料を含む化粧料に配合する場合、分離または析出が生じることなく良好に混合することができる。したがって、本実施形態に係る化粧料は、油性原料を含む化粧料（例えば、クリーム、乳液、美容液、パック、口紅、リップクリーム、リップグロス、リップライナー、オイルクレンジング、ファンデーション、アイシャドウ、アイライナー）として好適である。
【０１０６】
本実施形態に係る化粧料によれば、上記修飾ヒアルロン酸および／またはその塩を含有することにより、優れた保湿効果を発揮することができる。
【０１０７】
また、本実施形態に係る化粧料によれば、上記修飾ヒアルロン酸および／またはその塩を含有することにより、適度な粘度に調整されているため、使用時の皮膚のかさつき感を改善することができる。
【０１０８】
したがって、本実施形態に係る化粧料によれば、上記修飾ヒアルロン酸および／またはその塩を含有することにより、皮膚に潤いを与えることができ、かつ、例えば皮膚のかさつき感などを改善することができる。
【０１０９】
本実施形態に係る化粧料にはさらに、以下の成分が配合されていてもよい。前記成分としては、例えば、カチオン化多糖類（例えば、カチオン化ヒアルロン酸、カチオン化ヒドロキシエチルセルロース、カチオン化グアーガム、カチオン化澱粉、カチオン化ローカストビーンガム、カチオン化デキストラン、カチオン化キトサン、カチオン化ハチミツ等）、アニオン界面活性剤（例えば、アルキルベンゼンスルホン酸塩、ポリオキシアルキレンアルキルエーテル硫酸エステル塩、アルキル硫酸エステル塩、オレフィンスルホン酸塩、脂肪酸塩、ジアルキルスルホコハク酸塩等）、非イオン界面活性剤（例えば、ポリオキシエチレン脂肪酸エステル、ポリオキシエチレン硬化ヒマシ油誘導体等）、陽イオン界面活性剤（例えば、アルキルトリメチルアンモニウム塩、ジアルキルジメチルアンモニウム塩、アルキルピリジニウム塩、塩化ステアリルトリメチルアンモニウム等）、両性界面活性剤（例えば、アルキルベタイン、アルキルアミドプロピルベタイン、イミダゾリニウムベタイン、卵黄レシチン、大豆レシチン等）、油分（例えば、シリコーン、シリコーン誘導体、流動パラフィン、スクワラン、ミツロウ、カルナバロウ、オリーブ油、アボガド油、ツバキ油、ホホバ油、馬油等）、保湿剤（例えば、ヒアルロン酸ナトリウム、加水分解ヒアルロン酸、アセチル化ヒアルロン酸、ヒアルロン酸ジメチルシラノール、セラミド、ラウロイルグルタミン酸ジフィトステリルオクチルドデシル、フィトグリコーゲン、加水分解卵殻膜、トレハロース、グリセリン、アテロコラーゲン、ソルビトール、マルチトール、１，３−ブチレングリコール等）、高級脂肪酸（例えば、ラウリン酸、ベヘニン酸、パルミチン酸、ステアリン酸、イソステアリン酸、オレイン酸等）、高級アルコール（例えば、セチルアルコール、ステアリルアルコール、ベヘニルアルコール、イソステアリルアルコール、バチルアルコール等）、多価アルコール（例えば、グリセリン、ジグリセリン、１，３−プロパンジオール、プロピレングリコール、ポリエチレングリコール、ペンチレングリコール等）、増粘剤（例えば、セルロースエーテル、カルボキシビニルポリマー、キサンタンガム、パルミチン酸デキストリン等）、両性高分子樹脂化合物（例えば、ベタイン化ジアルキルアミノアルキルアクリレート共重合体等）、カチオン性高分子樹脂化合物（例えば、ビニルピロリドン／ジメチルアミノエチルメタクリレート共重合体カチオン化物、ポリジメチルジアリルアンモニウムハライド型カチオン性ポリマー等）、防腐剤（例えば、メチルパラベン、エチルパラベン、ブチルパラベン、プロピルパラベン、フェノキシエタノール等）、酸化防止剤（例えば、トコフェノール、ＢＨＴ等）、金属封鎖剤（例えば、エデト酸塩、エチドロン酸塩等）、紫外線吸収剤（例えば、ベンゾフェノン誘導体、パラアミノ安息香酸誘導体、メトキシ桂皮酸誘導体等）、紫外線反射剤（例えば、酸化チタン、酸化亜鉛等）、タンパク質加水分解物（例えば、ケラチンペプチド、コラーゲンペプチド、大豆ペプチド、コムギペプチド、ミルクペプチド、シルクペプチド、卵白ペプチド等）、アミノ酸（例えば、アルギニン、グルタミン酸、グリシン、アラニン、ヒドロキシプロリン、システイン、セリン、Ｌ−テアニン等）、天然物エキス（クジンエキス、カジルエキス、テンチカエキス、海草エキス、ユーカリエキス、ローヤルゼリーエキス、ローズマリーエキス、ブナの木エキス等）、その他の機能性成分（コエンザイムＱ１０、アルブチン、ポリクオタニウム５１、エラスチン、白金ナノコロイド、パルミチン酸レチノール、パンテノール、アラントイン、ジラウロイルグルタミン酸リシンナトリウム、リン酸アスコルビルマグネシウム、Ｌ−アスコルビン酸２−グルコシド、エラグ酸、コウジ酸、リノール酸、トラネキサム酸等）、リン脂質ポリマー、香料、色素が挙げられる。
【０１１０】
３．実施例
以下、実施例によって本発明をさらに詳細に説明するが、本発明は実施例に限定されない。
【０１１１】
３．１．試験方法
３．１．１．平均分子量
本実施例において、（修飾）ヒアルロン酸の平均分子量は、上述の実施形態で説明された方法で測定された。
【０１１２】
３．１．２．ヒアルロン酸１構成単位に含まれるグリセリン骨格含有基（炭化水素基含有基）またはパルミトイル基の数（Ｎ）
【０１１３】
本実施例において、修飾ヒアルロン酸の１Ｈ−ＮＭＲスペクトルにおいて、２．０ｐｐｍ付近に観察される、ヒアルロン酸の１構成単位を構成するＮ−アセチルグルコサミンに結合する−ＮＨＣ（＝Ｏ）ＣＨ３（Ｎ−アセチル基）のメチル基（−ＣＨ３）のプロトンを示すピークの積分値と、１．３ｐｐｍ付近に観察される、グリセリン骨格含有基中のＲ１またはパルミトイル基に含まれるメチレン基（−ＣＨ２−）のプロトンを示すピークの積分値とを算出し、これらの積分値から下記の式（５）〜式（９）を用いることにより、修飾ヒアルロン酸において、ヒアルロン酸１構成単位に含まれるグリセリン骨格含有基またはパルミトイル基の数（表１において「Ｎ」と記載する）を算出した。
【０１１４】
・修飾ヒアルロン酸が、Ｒ１がｎ−ドデシル基またはｎ−トリデシル基であるグリセリン骨格含有基を有する場合（表１の試験番号２〜１０）
なお、ここでは、Ｒ１で表されるグリセリン骨格含有基の炭素原子を、ｎ−ドデシル基の炭素原子数およびｎ−トリデシル基の炭素原子数の平均である１２．５として算出した（ドデシル基の炭素原子数１２、ｎ−トリデシル基の炭素原子数１３）。また、この場合、１．３ｐｐｍ付近に出現するピークが、Ｎ−アセチル基のＣＨ３の水素原子のピークの積算値に対する積算値から、水素原子合計１９個分に相当し、この１９個分の水素原子は、Ｒ１＝−ＣＨ２−ＣＨ２−（ＣＨ２）９．５−ＣＨ３の括弧内の９．５（メチレン基の個数）×２個の水素原子であると推測される。よって、以下の式（５）により、ヒアルロン酸１構成単位に含まれるグリセリン骨格含有基の数を算出する。
【０１１５】
ヒアルロン酸１構成単位に含まれるグリセリン骨格含有基の数＝（１．３ｐｐｍ付近のピークの積分値／１９）／（２．０ｐｐｍ付近のピークの積分値／３）  ・・・（５）
【０１１６】
・修飾ヒアルロン酸が、Ｒ１がｎ−ブチル基であるグリセリン骨格含有基を有する場合（表１の試験番号１）
なお、Ｒ１が炭素原子数４のｎ−ブチル基の場合、１．３ｐｐｍ付近に出現するピークは、Ｎ−アセチル基のＣＨ３の水素原子のピークの積算値に対する積算値から、水素原子２個分に相当し、この２個分の水素原子は、Ｒ１＝−ＣＨ２−ＣＨ２−（ＣＨ２）１−ＣＨ３の括弧内の１（メチレン基の個数）×２個の水素原子であると推測される。よって、以下の式（６）により、ヒアルロン酸１構成単位に含まれるグリセリン骨格含有基の数を算出する。
【０１１７】
ヒアルロン酸１構成単位に含まれるグリセリン骨格含有基の数＝（１．３ｐｐｍ付近のピークの積分値／２）／（２．０ｐｐｍ付近のピークの積分値／３）  ・・・（６）
【０１１８】
・修飾ヒアルロン酸が、Ｒ１がパルミチル基であるグリセリン骨格含有基を有する場合（表１の試験番号１１）
なお、Ｒ１が炭素原子数１６のパルミチル基の場合、１．３ｐｐｍ付近に出現するピークは、Ｎ−アセチル基のＣＨ３の水素原子のピークの積算値に対する積算値から、水素原子合計２６個分に相当し、この２６個分の水素原子は、Ｒ１＝−ＣＨ２−ＣＨ２−（ＣＨ２）１３−ＣＨ３の括弧内の１３（メチレン基の個数）×２個の水素原子であると推測される。よって、以下の式（７）により、ヒアルロン酸１構成単位に含まれるグリセリン骨格含有基の数を算出する。
【０１１９】
ヒアルロン酸１構成単位に含まれるグリセリン骨格含有基の数＝（１．３ｐｐｍ付近のピークの積分値／２６）／（２．０ｐｐｍ付近のピークの積分値／３）  ・・・（７）
【０１２０】
・修飾ヒアルロン酸が、Ｒ１がステアリル基であるグリセリン骨格含有基を有する場合（表１の試験番号１２および１３）
なお、Ｒ１が炭素原子数１８のステアリル基の場合、１．３ｐｐｍ付近に出現するピークは、Ｎ−アセチル基のＣＨ３の水素原子のピークの積算値に対する積算値から、水素原子合計３０個分に相当し、この３０個分の水素原子は、Ｒ１＝−ＣＨ２−ＣＨ２−（ＣＨ２）１５−ＣＨ３の括弧内の１５（メチレン基の個数）×２個の水素原子であると推測される。よって、以下の式（８）により、ヒアルロン酸１構成単位に含まれるグリセリン骨格含有基の数を算出する。
【０１２１】
ヒアルロン酸１構成単位に含まれるグリセリン骨格含有基の数＝（１．３ｐｐｍ付近のピークの積分値／３０）／（２．０ｐｐｍ付近のピーク積分値／３）  ・・・（８）
【０１２２】
・修飾ヒアルロン酸が、グリセリン骨格含有基を有さずパルミトイル基を有する場合（表１の試験番号１４および１５）
なお、パルミトイル基の場合、１．３ｐｐｍ付近に出現するピークは、Ｎ−アセチル基のＣＨ３の水素原子のピークの積算値に対する積算値から、
水素原子合計２４個分に相当し、この２４個分の水素原子は、パルミトイル基、−Ｃ（＝Ｏ）−ＣＨ２−ＣＨ２−（ＣＨ２）１２−ＣＨ３の括弧内の１２（メチレン基の個数）×２個の水素原子であると推測される。よって、以下の式（９）により、ヒアルロン酸１構成単位に含まれるパルミトイル基の数を算出する。
【０１２３】
ヒアルロン酸１構成単位に含まれるパルミトイル基の数＝（１．３ｐｐｍ付近のピークの積分値／２４）／（２．０ｐｐｍ付近のピークの積分値／３）  ・・・（９）
【０１２４】
３．１．３．透過率Ｘ，Ｙ
各実施例で得られた修飾ヒアルロン酸を水およびエタノール−水混合液（エタノール含量７０容量％）それぞれに添加して、１％修飾ヒアルロン酸含有水および１％修飾ヒアルロン酸含有エタノール−水混合液（エタノール含量７０容量％）を調製した。次に、分光光度計として（株）島津製作所製「マルチパーパス分光光度ＵＶ−２４５０」を使用し、波長６６０ｎｍ、光路長１０ｍｍの光の透過率Ｘ，Ｙをそれぞれ測定した。なお、対照側のセルとして、それぞれの溶媒である水およびエタノール−水混合液（エタノール含量７０容量％）を用いて測定した。
【０１２５】
３．１．４．動粘度
上述の実施形態の欄で説明した方法により動粘度を算出した。
【０１２６】
３．２．実施例１
１Ｌビーカーにヒアルロン酸（分子量８０００、キユーピー株式会社製）５．０ｇを水５００ｍＬに溶解させ、さらに４０％水酸化テトラブチルアンモニウム水溶液を攪拌しながら加えて、ｐＨを７．２に調整した。ｐＨ調整後、凍結乾燥させ、ヒアルロン酸のテトラブチルアンモニウム塩を１０．２ｇ得た。３０ｍＬサンプル瓶に得られたヒアルロン酸のテトラブチルアンモニウム塩１．０ｇ、Ｃ１２〜１３アルキルグリシジルエーテル（反応試薬）（四日市合成株式会社製）２．０ｇ、およびジメチルホルミアミド（ＤＭＦ）１０ｍＬを入れ、攪拌しながら８０℃水浴上で８時間反応させた。反応終了後、１２．５％塩化ナトリウム水溶液を１０ｍＬ加え、８％塩酸にてｐＨ１．０に調整した。次いで、エタノール５０ｍＬを撹拌しながらゆっくり加え、ヒアルロン酸を沈殿させた。次いで、２５％水酸化ナトリウムでｐＨを７．０に調整し、沈殿物をろ過にて回収し、８０％エタノール５０ｍＬで３回洗浄した。得られた沈殿物を６０℃で真空乾燥させて、上記一般式（１）で表されるグリセリン骨格含有基を含む修飾ヒアルロン酸（表１の試験番号６）を０．４８ｇ得た。また、実施例１で得られた修飾ヒアルロン酸（表１の試験番号６）の動粘度は１．２ｍｍ２／ｓであった。
【０１２７】
本実施例で得られた修飾ヒアルロン酸の１Ｈ−ＮＭＲスペクトル（観測周波数４００ＭＨｚ、内部標準物質：ＤＳＳ（０ｐｐｍ）、溶媒：重水）を図１（ａ）に示す。一方、比較対照として、原料（グリセリン骨格含有基を有さない）のヒアルロン酸（キユーピー株式会社製、平均分子量８０００）の１Ｈ−ＮＭＲスペクトル（観測周波数４００ＭＨｚ、内部標準物質：ＤＳＳ（０ｐｐｍ）、溶媒：重水）を図１（ｂ）に示す。図１（ａ）の１Ｈ−ＮＭＲスペクトルにおいて、１．３ｐｐｍ付近に存在するピークは、修飾ヒアルロン酸のグリセリン骨格含有基中のメチレン基（−ＣＨ２−）のプロトンを示すピークであると推察される。
【０１２８】
また、実施例１の修飾ヒアルロン酸の製造方法において、反応試薬の種類、溶媒、反応温度、および反応時間を表１に示すように変更した以外は実施例１と同様の方法にて、表１の試験番号１〜５および７〜１５の修飾ヒアルロン酸を製した。反応試薬の種類を変えることによって、グリセリン骨格含有基のＲ１の炭素原子数がそれぞれ表１に示すものである修飾ヒアルロン酸を得た。なお、上述した方法と同様の方法にて、表１で得られた修飾ヒアルロン酸にグリセリン骨格含有基が導入されていることを１Ｈ−ＮＭＲスペクトルから確認した。また、試験番号１〜１５の修飾ヒアルロン酸の動粘度はいずれも０．５〜３ｍｍ２／ｓであった。
【０１２９】
表１によれば、本願発明（試験番号１〜１３）の修飾ヒアルロン酸は、上記一般式（１）で表されるグリセリン骨格含有基を有するため、水およびエタノールへの溶解性に優れていることが理解できる。中でも、グリセリン骨格含有基中のＲ１の炭素原子数が６〜２０であり、かつ、ヒアルロン酸１構成単位に含まれる前記グリセリン骨格含有基の数が０．００１〜０．５である修飾ヒアルロン酸（試験番号３〜９および１１〜１３）は、水およびエタノールへの溶解性により優れていた。
【０１３０】
これに対して、比較例（試験番号１４および１５）の修飾ヒアルロン酸は、上記一般式（１）で表されるグリセリン骨格含有基を有していないため、水およびエタノールへの溶解性がいずれも劣っていることが理解できる。
【０１３１】
【表１】
2011102462.tif 000007
【０１３２】
３．３．実施例２
実施例１の修飾ヒアルロン酸の製造方法において、ヒアルロン酸（分子量８０００、キユーピー株式会社製）をヒアルロン酸（分子量３０万、キユーピー株式会社製）に変更した以外は実施例１と同様の方法で修飾ヒアルロン酸を製した。また、上述した方法と同様の方法にて、実施例２で得られた修飾ヒアルロン酸にグリセリン骨格含有基が導入されていることを１Ｈ−ＮＭＲスペクトルから確認した。
【０１３３】
実施例２で得られた修飾ヒアルロン酸は、ヒアルロン酸１構成単位に含まれるグリセリン骨格含有基の数が０．０３であり、１％修飾ヒアルロン酸含有水における上記光の透過率Ｘが１００％であり、１％修飾ヒアルロン酸含有エタノール−水混合液（エタノール含量７０容量％）における上記光の透過率Ｙが１００％であった。また、実施例２で得られた修飾ヒアルロン酸の動粘度は３．５ｍｍ２／ｓであった。
【０１３４】
３．４．実施例３
１Ｌビーカーにヒアルロン酸（分子量１００万、キユーピー株式会社製）５．０ｇを水５００ｍＬに溶解させ、さらに４０％水酸化テトラブチルアンモニウム水溶液を攪拌しながら加えて、ｐＨを７．２に調整した。ｐＨ調整後、凍結乾燥させ、ヒアルロン酸のテトラブチルアンモニウム塩を１０．２ｇ得た。３０ｍＬサンプル瓶に得られたヒアルロン酸のテトラブチルアンモニウム塩１．０ｇ、Ｃ１２〜１３アルキルグリシジルエーテル（反応試薬）（四日市合成株式会社製）２．０ｇ、およびジメチルホルミアミド（ＤＭＦ）２０ｍＬを入れ、攪拌しながら８０℃水浴上で８時間反応させた。反応終了後、１２．５％塩化ナトリウム水溶液を１０ｍＬ加え、２５％水酸化ナトリウムでｐＨを７．０に調整し、エタノール５０ｍＬを撹拌しながらゆっくり加え、ヒアルロン酸を沈殿させた。沈殿物をろ過にて回収し、８０％エタノール５０ｍＬで３回洗浄した。得られた沈殿物を６０℃で真空乾燥させて、修飾ヒアルロン酸を製した。また、上述した方法と同様の方法にて、実施例３で得られた修飾ヒアルロン酸にグリセリン骨格含有基が導入されていることを１Ｈ−ＮＭＲスペクトルから確認した。
【０１３５】
実施例３で得られた修飾ヒアルロン酸は、ヒアルロン酸１構成単位に含まれるグリセリン骨格含有基の数が０．０２であり、１％修飾ヒアルロン酸含有水における上記光の透過率Ｘが１００％であり、１％修飾ヒアルロン酸含有エタノール−水混合液（エタノール含量７０容量％）における上記光の透過率Ｙが７５％であった。また、実施例３で得られた修飾ヒアルロン酸の動粘度は４６ｍｍ２／ｓであった。
【０１３６】
３．５．試験例１
本試験例では、以下に記す処方にて、実施例１で得られた修飾ヒアルロン酸を配合した化粧水を調製した。
修飾ヒアルロン酸（実施例１）                      ０．２％
ヒアルロン酸ナトリウム                            ０．１％
加水分解ヒアルロン酸                              ０．１％
コラーゲンペプチド                                ０．１％
１，３−ブチレングリコール                        ５．０％
グリセリン                                        ３．０％
イソステアリルアルコール                          ０．１％
酢酸トコフェロール                                ０．１％
ＰＯＥ（２０）ソルビタンモノラウリル酸エステル    ０．５％
ＰＯＥ（１５）ラウリルアルコールエーテル          ０．５％
ピロリドンカルボン酸亜鉛                          ０．１％
エチルパラベン                                    ０．１％
メチルパラベン                                  ０．１５％
エタノール                                        ５．０％
香料                                                  適量
精製水                                                残量
【０１３７】
３．６．試験例２
本試験例では、以下に記す処方にて、実施例１で得られた修飾ヒアルロン酸を配合した乳液を調製した。
修飾ヒアルロン酸（実施例１）                  ０．３％
ペンチレングリコール                          ５．０％
グリセリン                                    ３．０％
スクワラン                                    ５．０％
ステアリン酸                                  ０．５％
ステアリルアルコール                          ２．０％
ワセリン                                      ４．０％
ステアリン酸ソルビタン                        １．０％
ＰＯＥ（１０）モノステアリン酸エステル        １．０％
カルボキシビニルポリマー                      ０．５％
ポリクオタニウム−５１                        ０．１％
メチルパラベン                              ０．１５％
プロピルパラベン                              ０．１％
水酸化カリウム                                ０．１％
ＢＨＴ                                      ０．０２％
ＥＤＴＡ−２ナトリウム                      ０．０２％
香料                                              適量
精製水                                            残量
【０１３８】
３．７．試験例３
本試験例では、以下に記す処方にて、実施例２で得られた修飾ヒアルロン酸を配合したクリーム（エモリエントクリーム）を調製した。
修飾ヒアルロン酸（実施例２）                  ０．５％
ポリエチレングリコール                        ４．０％
１，３−プロパンジオール                      ６．０％
スクワラン                                  １１．０％
ジメチコン                                    １．０％
セタノール                                    ６．０％
ステアリン酸                                  ２．０％
水添ココグリセリル                            ４．０％
トリカプリリン                                ８．０％
モノステアリン酸グリセリン                    ３．０％
ＰＯＥ（２０）セチルアルコールエーテル        ２．０％
コエンザイムＱ１０                          ０．０３％
セラミド                                      ０．１％
ジラウロイルグルタミン酸リシンナトリウム      ０．１％
ＥＤＴＡ−２ナトリウム                      ０．０２％
プロピルパラベン                              ０．１％
メチルパラベン                              ０．１５％
香料                                              適量
精製水                                            残量
【０１３９】
３．８．試験例４
本試験例では、以下に記す処方にて、実施例２で得られた修飾ヒアルロン酸を配合した美容液（美白保湿エッセンス）を調製した。
修飾ヒアルロン酸（実施例２）                        ０．８％
ヒアルロン酸ナトリウム                              ０．２％
加水分解ヒアルロン酸                                ０．１％
１，３−ブチレングリコール                          ５．０％
グリセリン                                          １．５％
ＰＯＥソルビタンモノステアリン酸エステル            １．０％
ソルビタンモノステアリン酸エステル                  ０．５％
キサンタンガム                                      ０．２％
アルギン酸ナトリウム                                ０．２％
カルボキシビニルポリマー                            ０．２％
水酸化カリウム                                      ０．１％
オリーブ油                                          ０．２％
トコフェロール                                      ０．１％
ＥＤＴＡ−２ナトリウム                            ０．０２％
アルギニン                                        ０．１５％
グリチルリチン酸ジカリウム                        ０．０５％
アルブチン                                          ０．２％
パルミチン酸レチノール                              ０．２％
クジンエキス                                        ０．２％
海藻エキス                                          ０．２％
トラネキサム酸                                      ０．１％
エラスチン                                          ０．１％
コラーゲン                                          ０．１％
リン酸アスコルビン酸マグネシウム                    ０．１％
クエン酸ナトリウム                                  １．０％
クエン酸                                            ０．１％
プロピルパラベン                                    ０．１％
メチルパラベン                                    ０．１５％
香料                                                    適量
精製水                                                  残量
【０１４０】
３．９．試験例５
本試験例では、以下に記す処方にて、実施例１で得られた修飾ヒアルロン酸を配合した美容液パック（ペースト状ピールオフタイプ）を調製した。
修飾ヒアルロン酸（実施例１）                        ０．５％
ポリ酢酸ビニルエマルジョン                        １７．０％
ポリビニルアルコール                              １１．０％
ソルビトール                                        ５．０％
ポリエチレングリコール４００                        ５．０％
スクワラン                                          ２．５％
ＰＯＥソルビタンモノステアリン酸エステル            １．０％
酸化チタン                                          ４．０％
タルク                                              ８．０％
エタノール                                          ８．０％
メチルパラベン                                    ０．１５％
香料                                                    適量
精製水                                                  残量
【０１４１】
３．１０．試験例６
本試験例では、以下に記す処方にて、実施例１で得られた修飾ヒアルロン酸を配合した洗顔料（クレンジングフォーム）を調製した。
修飾ヒアルロン酸（実施例１）                        ０．２％
カチオン化ヒアルロン酸                              ０．１％
（キユーピー株式会社製、ヒアロベール）
グリセリン                                        １０．０％
ポリエチレングリコール４００                      １５．０％
ジプロピレングリコール                            １０．０％
ラウロイルグルタミン酸ナトリウム                  ２０．０％
ＰＯＥ（２）モノステアリン酸エステル                ５．０％
パーム脂肪酸グルタミン酸ナトリウム                  ８．０％
アルキルベタイン                                    ２．０％
ＥＤＴＡ−２ナトリウム                            ０．０２％
プロピルパラベン                                    ０．１％
メチルパラベン                                    ０．１５％
香料                                                    適量
精製水                                                  残量
【０１４２】
３．１１．試験例７
本試験例では、以下に記す処方にて、実施例１で得られた修飾ヒアルロン酸を配合したサンスクリーン（乳液）を調製した。
修飾ヒアルロン酸（実施例１）                        ０．２％
１，３−ブチレングリコール                          ３．０％
ジプロピレングリコール                              ３．０％
シクロメチコン                                      ５．０％
ジメチコン                                          ５．０％
セタノール                                          １．０％
ワセリン                                            １．０％
メトキシケイヒ酸オクチル                            ５．０％
酸化チタン                                          ２．０％
酸化亜鉛                                            ２．０％
ステアリン酸ソルビタン                              １．０％
ＰＯＥ（２０）ソルビタンモノステアリン酸エステル    １．０％
フェノキシエタノール                                ０．８％
メチルパラベン                                      ０．１％
香料                                                    適量
精製水                                                  残量
【０１４３】
３．１２．試験例８
本試験例では、以下に記す処方にて、実施例１で得られた修飾ヒアルロン酸を配合したリップクリームを調製した。
修飾ヒアルロン酸（実施例１）                        ０．１％
マイクロクリスタリンワックス                        １．５％
セレシン                                          １２．０％
スクワラン                                        １０．０％
デカメチルテトラシロキサン                        １０．０％
リンゴ酸ジイソステアリル                            ５．０％
キャンデリラロウ                                    ２．０％
ワセリン                                            ８．０％
ヒドロキシステアリン酸グリセリル                    ２．０％
メントール                                        ０．０５％
流動パラフィン                                      １．０％
酢酸トコフェロール                                  ０．１％
トコフェロール                                    ０．０５％
プロピルパラベン                                    ０．１％
香料                                                    適量
精製水                                                  残量
【０１４４】
３．１３．試験例９
本試験例では、以下に記す処方にて、実施例１で得られた修飾ヒアルロン酸を配合したシャンプーを調製した。
修飾ヒアルロン酸（実施例１）                          ０．２％
カチオン化ヒアルロン酸                                ０．１％
（キユーピー株式会社製、ヒアロベール）
ＰＯＥ（２０）ラウリルエーテル硫酸ナトリウム        １１．０％
ラウロイルアスパラギン酸ナトリウム                  １０．０％
ヤシ油脂肪酸アミドプロピルベタイン                    ４．０％
ヤシ油脂肪酸モノエタノールアミド                      ２．０％
ＥＤＴＡ−２ナトリウム                                ０．１％
安息香酸ナトリウム                                    ０．２％
フェノキシエタノール                                  ０．８％
メチルパラベン                                        ０．１％
香料                                                      適量
精製水                                                    残量
【０１４５】
３．１４．試験例１０
本試験例では、以下に記す処方にて、実施例１で得られた修飾ヒアルロン酸を配合したヘアコンディショナーを調製した。
修飾ヒアルロン酸（実施例１）                          ０．３％
カチオン化ヒアルロン酸                                ０．２％
（キユーピー株式会社製、ヒアロベール）
ステアリルアルコール                                  ４．０％
セタノール                                            １．５％
ヒドロキシエチルウレア                                １．０％
アミノプロピルジメチコン                              １．５％
ジメチコン                                            ０．５％
加水分解シルク                                        １．０％
１，３−ブチレングリコール                            １．０％
グリセリン                                            ３．０％
２−エチルヘキサン酸セチル                            ２．０％
ミリスチン酸イソセチル                                ０．４％
Ｌ−アルギニン                                        ０．１％
トレハロース                                          ０．１％
ソルビトール                                          ０．１％
ケラチンペプチド                                      ０．１％
ＰＯＥ（４）ステアリルエーテル                        １．０％
ステアリン酸ジメチルアミノプロピルアミド              ３．０％
塩化ジステアリルジメチルアンモニウム                  ０．２％
安息香酸ナトリウム                                    ０．３％
フェノキシエタノール                                  ０．８％
メチルパラベン                                        ０．１％
香料                                                      適量
精製水                                                    残量
【０１４６】
３．１５．試験例１１（皮膚バリア機能の修復確認試験）
２ｍＬエッペンドルフチューブに、処理液（セラミドII（高砂香料工業社製）、セラミドIII（コスモファーム社製）、セラミドIV（コスモファーム社製）各４ｍｇ、ステアリン酸８ｍｇ（和光純薬工業社製）、コレステロール（関東化学社製）８ｍｇ、コレステロール硫酸（シグマ社製）２ｍｇ、純水１４０ｍｇ、実施例１の各試験番号の修飾ヒアルロン酸１ｍｇ）を入れ、室温にてボルテックスを用いて２分間撹拌した。次に、８０℃恒温槽上で５分間加熱した後、ボルテックスを用いて２分間撹拌し、１０℃恒温槽で５分間冷却した後、室温にて超音波処理を５分間行った。この操作を４回繰り返し、以下の手順で顕微鏡観察用サンプルを作製した。
【０１４７】
スライドガラス上に上記サンプルを１μＬ載せ、カバーガラス被せ、カバーガラス全体にサンプルを広げることにより、顕微鏡観察用サンプルを作製した。顕微鏡観察は、（株）キーエンス製のデジタルマイクロスコープＶＨＸ−６００を偏光観察モードにして、倍率１０００倍で観察を行った。任意の観察視野（２２５×３１０μｍ）を５箇所選択し、ピントを合わせて撮影を行い、写真５枚中の直径５μｍ以上の黒い十字像の数を数え、写真１枚中の十字像の平均数を算出した。また、対照として、修飾ヒアルロン酸を含まない処理液を用いて同様の処理を行った。結果を表２に示す。
【０１４８】
【表２】
2011102462.tif 000008
【０１４９】
図２において、十字像（丸で囲まれた箇所）はラメラ構造が形成されている箇所を表す。健康な皮膚の角質層では通常、脂質層と水層とがラメラ構造を形成し、このラメラ構造により皮膚のバリア機能が発揮される。したがって、本試験例において、ラメラ構造の形成箇所が多いほど皮膚のバリア機能の修復能が高いといえる。
【０１５０】
表２によれば、処理液が修飾ヒアルロン酸を含まない場合と比較して、処理液が修飾ヒアルロン酸を含む場合、十字像の数が多いことが理解できる。この結果から、一般式（１）で表されるグリセリン骨格含有基を含む修飾ヒアルロン酸は、皮膚のバリア機能の修復能を有すると推測される。
【０１５１】
３．１６．試験例１２（ヒト皮膚バリア機能の修復確認試験）
本試験例においては、本願発明の修飾ヒアルロン酸をヒト皮膚に塗布して、経皮水分蒸発量（ｔｒａｎｓ ｅｐｉｄｅｒｍａｌ ｗａｔｅｒ ｌｏｓｓ:ＴＥＷＬ）の評価を行った。
【０１５２】
３．１６．１．試験方法
３．１６．１−１．被験者
年齢２６〜３４歳の成人（ｎ＝９）を対象に試験を行った。
【０１５３】
３．１６．１−２．試料
試料１：上記実施例１で得られた修飾ヒアルロン酸
試料２（対照）：ヒアルロン酸（分子量８０００、キユーピー株式会社製）
試料１を精製水に溶解し１％水溶液としたものを試験液１、試料２を精製水に溶解し１％水溶液としたものを試験液２とした。
【０１５４】
３．１６．１−３．試験方法
被験者の前腕内側部に直径１ｃｍの領域を２ヵ所設置し、これを試験部位とした。
【０１５５】
まず、水分蒸発量測定装置（ＣＫ−Ｅｌｅｃｔｒｏｎｉｃ社製Ｃｕｔｏｍｅｔｅｒ  ＭＰＡ５８０）を用いて、試験部位のＴＥＷＬを測定した。
【０１５６】
その後、テープストリッピングにより、ＴＥＷＬの値が１５〜２５ｇ／ｍ２・ｈになるまで試験部位の表皮角層を除去し、皮膚バリア機能破壊処理を行った。
【０１５７】
皮膚バリア機能破壊処理後に、試験部位に試験液１または試験液２を塗布した。
【０１５８】
塗布回数は、午前と午後の１日２回とし、塗布量は、１回につき２０μＬとした。
【０１５９】
被験者はＴＥＷＬの測定前に試験部位を洗浄し、２０分間安静にした。
【０１６０】
測定は、皮膚バリア機能破壊処理後に各試験液を塗布してから１日経過時および３日経過時の午前に行った。
【０１６１】
角質除去後のＴＥＷＬに対する各試験液を塗布した後のＴＥＷＬの差について、各測定日においてＤｕｎｎｅｔｔ法による多重比較検定を行い、ｐ＜０．０５で有意差有りとした。
【０１６２】
表３および図３に、試験液１および試験液２を塗布した場合のＴＥＷＬの測定値を示す。
【０１６３】
なお、表３中の数値は、各被験者のＴＥＷＬ測定値の平均値を示した。
【０１６４】
また、下記の式（１０）に従って、試験液を塗布して３日後のＴＥＷＬの改善率を算出した。表３における試験液１および試験液２をそれぞれ塗布した場合の塗布後３日経過時の改善率（％）を図４に示す。
【０１６５】
【数１】
2011102462.tif 000009
・・・（１０）
【０１６６】
【表３】
2011102462.tif 000010
【０１６７】
表３および図３において、ＴＥＷＬは、皮膚内部から対外への水分の移行量を表す。皮膚バリア機能破壊処理によって、皮膚の角質層のラメラ構造が破壊され、ＴＥＷＬが増加する。したがって、本試験例において、ＴＥＷＬが減少するほど皮膚のバリア機能修復能が高いといえる。
【０１６８】
表３および図３によれば、試験液２と比較して、修飾ヒアルロン酸を含む試験液１を塗布した場合、ＴＥＷＬが低値となることが理解できる。
【０１６９】
また、試験液１を塗布した場合、角質除去直後のＴＥＷＬに対して、試験液を塗布した後のＴＥＷＬは、塗布後１日経過時および塗布後３日経過時において有意に低値を示した。
【０１７０】
さらに、表３によれば、試験液２と比較して、修飾ヒアルロン酸を含む試験液１を塗布した場合、ＴＥＷＬの改善率が高いことが理解できる。
【０１７１】
この結果から、一般式（１）で表されるグリセリン骨格含有基を含む修飾ヒアルロン酸は、皮膚のバリア機能の修復能を有することが確認された。
【０１７２】
３．１７．試験例１３（溶解性試験）
下記の試料Ａ０．１ｇを、エタノール：水＝７０：３０（容積比）のエタノール−水混合液１０ｍＬに添加して、１％修飾ヒアルロン酸含有水を調製した。同様に、試料Ａの代わりに、試料Ｂを用いて１％ヒアルロン酸含有水を調製した。
試料Ａ：上記実施例１で得られた修飾ヒアルロン酸
試料Ｂ（対照）：ヒアルロン酸（分子量８０００、キユーピー株式会社製）
【０１７３】
その結果、試料Ａを用いて調製された１％修飾ヒアルロン酸含有水は、目視にて透明であり、沈殿が生じなかったことが確認された。このことから、試料Ａを用いて調製された１％修飾ヒアルロン酸含有水では、修飾ヒアルロン酸がほぼ溶解していることが理解できる。試料Ａを用いて調製された１％修飾ヒアルロン酸含有水は例えば、油性原料を含む化粧水（疎水性が高い化粧料）の原料として使用することができる。
【０１７４】
一方、試料Ｂを用いて調製された１％ヒアルロン酸含有水は、目視にて濁りは確認されなかったが、該化粧水を入れた容器の底に白色の沈殿が生じたことが確認された。
【０１７５】
以上の結果から、一般式（１）で表されるグリセリン骨格含有基を含む修飾ヒアルロン酸は、疎水性が高い化粧料にも好適に配合できることが理解できる。
【０１７６】
本発明に係る実施の形態の説明は以上である。本発明は、実施の形態で説明した構成と実質的に同一の構成（例えば、機能、方法および結果が同一の構成、あるいは目的および結果が同一の構成）を含む。また、本発明は、実施の形態で説明した構成の本質的でない部分を置き換えた構成を含む。また、本発明は、実施の形態で説明した構成と同一の作用効果を奏する構成または同一の目的を達成することができる構成を含む。また、本発明は、実施の形態で説明した構成に公知技術を付加した構成を含む。
【図１】
2011102462.tif 000013
【図２】
2011102462.tif 000014
【図３】
2011102462.tif 000015
【図４】
2011102462.tif 000016
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
下記一般式（１）で表されるグリセリン骨格含有基を含む、修飾ヒアルロン酸および／またはその塩。
−Ｏ−ＣＨ２−ＣＨＯＨ−ＣＨ２−ＯＲ１      ・・・（１）
（式中、Ｒ１は直鎖状または分岐状のアルキル基またはアルケニル基を表す。）
【請求項２】
前記一般式（１）において、Ｒ１が炭素原子数６〜２０の直鎖状または分岐状のアルキル基またはアルケニル基である、請求項１に記載の修飾ヒアルロン酸および／またはその塩。
【請求項３】
前記グリセリン骨格含有基がヒアルロン酸骨格を構成する炭素原子の少なくとも１つに結合している、請求項１または２に記載の修飾ヒアルロン酸および／またはその塩。
【請求項４】
ヒアルロン酸および／またはその塩を下記一般式（２）で表される化合物と反応させることにより得られる、請求項１〜３のいずれか１項に記載の修飾ヒアルロン酸および／またはその塩。
【化１】
2011102462.tif 000017
・・・（２）
（式中、Ｒ１は直鎖状または分岐状のアルキル基またはアルケニル基を表す。）
【請求項５】
前記一般式（２）において、Ｒ１が炭素原子数６〜２０の直鎖状または分岐状のアルキル基またはアルケニル基である、請求項４に記載の修飾ヒアルロン酸および／またはその塩。
【請求項６】
ヒアルロン酸１構成単位に含まれる前記グリセリン骨格含有基の数が０．００１〜０．５である、請求項１〜５のいずれか１項に記載の修飾ヒアルロン酸および／またはその塩。
【請求項７】
１％水溶液の動粘度が５０ｍｍ２／ｓ以下である、請求項１〜６のいずれか１項に記載の修飾ヒアルロン酸および／またはその塩。
【請求項８】
ヒアルロン酸および／またはその塩を下記一般式（２）で表される化合物と反応させる工程を含む、請求項１に記載の修飾ヒアルロン酸および／またはその塩の製造方法。
【化２】
2011102462.tif 000018
・・・（２）
（式中、Ｒ１は直鎖状または分岐状のアルキル基またはアルケニル基を表す。）
【請求項９】
請求項１〜８のいずれか１項に記載の修飾ヒアルロン酸および／またはその塩を含有する、化粧料。
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
下記一般式（１）で表されるグリセリン骨格含有基を含む、修飾ヒアルロン酸および／またはその塩。
−Ｏ−ＣＨ２−ＣＨＯＨ−ＣＨ２−ＯＲ１      ・・・（１）
（式中、Ｒ１は直鎖状または分岐状のアルキル基またはアルケニル基を表す。）
【請求項２】
前記一般式（１）において、Ｒ１が炭素原子数６〜２０の直鎖状または分岐状のアルキル基またはアルケニル基である、請求項１に記載の修飾ヒアルロン酸および／またはその塩。
【請求項３】
前記グリセリン骨格含有基がヒアルロン酸骨格を構成する炭素原子の少なくとも１つに結合している、請求項１または２に記載の修飾ヒアルロン酸および／またはその塩。
【請求項４】
ヒアルロン酸および／またはその塩を下記一般式（２）で表される化合物と反応させることにより得られる、請求項１〜３のいずれか１項に記載の修飾ヒアルロン酸および／またはその塩。
【化１】
2011102462.tif 000019
・・・（２）
（式中、Ｒ１は直鎖状または分岐状のアルキル基またはアルケニル基を表す。）
【請求項５】
前記一般式（２）において、Ｒ１が炭素原子数６〜２０の直鎖状または分岐状のアルキル基またはアルケニル基である、請求項４に記載の修飾ヒアルロン酸および／またはその塩。
【請求項６】
ヒアルロン酸１構成単位に含まれる前記グリセリン骨格含有基の数が０．００１〜０．５である、請求項１〜５のいずれか１項に記載の修飾ヒアルロン酸および／またはその塩。
【請求項７】
１％水溶液の動粘度が５０ｍｍ２／ｓ以下である、請求項１〜６のいずれか１項に記載の修飾ヒアルロン酸および／またはその塩。
【請求項８】
ヒアルロン酸および／またはその塩を下記一般式（２）で表される化合物と反応させる工程を含む、請求項１に記載の修飾ヒアルロン酸および／またはその塩の製造方法。
【化２】
2011102462.tif 000020
・・・（２）
（式中、Ｒ１は直鎖状または分岐状のアルキル基またはアルケニル基を表す。）
【請求項９】
請求項１〜７のいずれか１項に記載の修飾ヒアルロン酸および／またはその塩を含有する、化粧料。
【手続補正２】
【補正対象書類名】明細書
【補正対象項目名】００４４
【補正方法】変更
【補正の内容】
【００４４】
また、本実施形態に係る修飾ヒアルロン酸および／またはその塩において、グリセリン骨格含有基は例えば、修飾ヒアルロン酸および／またはその塩を構成するＮ−アセチルグルコサミンの４位の炭素原子（Ｃ−４）および６位の炭素原子（Ｃ−６）、ならびに、修飾ヒアルロン酸および／またはその塩を構成するグルクロン酸の２位の炭素原子（Ｃ−２）、３位の炭素原子（Ｃ−３）、および５位の炭素原子（Ｃ−５）に結合するカルボニル基から選ばれる少なくとも１つに結合することができる。より具体的には、本実施形態に係る修飾ヒアルロン酸および／またはその塩は以下の一般式（３）で表される化合物であることができる。
【国際調査報告】
2011102462.tif 000021
2011102462.tif 000022